【手続補正書】
【提出日】平成19年8月3日(2007.8.3)
【手続補正１】
【補正対象書類名】特許請求の範囲
【補正対象項目名】全文
【補正方法】変更
【補正の内容】
【特許請求の範囲】
【請求項１】
光透過性基板と、
前記光透過性基板の上に形成され互いに直列に接続された複数の太陽電池セルと、を具備し、
前記複数の太陽電池セルの各々は、
前記光透過性基板の上に形成された透明導電膜と、
前記透明導電膜の上に形成された第１薄膜光変換ユニットと、
前記第１薄膜光変換ユニットの上に形成された中間層と、
前記中間層の上に形成された第２薄膜光変換ユニットと、
前記第２ 薄膜光変換ユニットの上に形成された裏面電極と、
前記透明導電膜を分割する第１分離溝と、
前記裏面電極の上部に開口を有し前記第１薄膜光変換ユニット、前記中間層、及び前記第２薄膜光変換ユニットを分割する第２分離溝と、
前記裏面電極と前記第２薄膜光変換ユニットとの界面に開口を有し、前記第１薄膜光変換ユニットと前記透明導電膜との間に底面を有し、前記裏面電極を構成する材料で該裏面電極と隣の前記太陽電池セルの透明導電膜を電気的に接続する接続溝と、
前記中間層が除去され前記第１薄膜光変換ユニット内に底面を有する溝、又は、前記中間層が変質して導電性を失った層である中間層分離部とを有する
薄膜太陽電池モジュール。
【請求項２】
請求項１に記載の薄膜太陽電池モジュールであって、
前記中間層分離部は、前記中間層及び前記第１薄膜光変換ユニットの一部が除去されて前記第２薄膜光変換ユニットを構成する材料で充填されている薄膜太陽電池モジュール。
【請求項３】
請求項１又は２に記載の薄膜太陽電池モジュールであって、
前記中間層分離部は、前記中間層が前記第１薄膜光変換ユニット、及び前記第２薄膜光変換ユニットに溶融し拡散することにより導電性を失っている薄膜太陽電池モジュール。
【請求項４】
請求項１乃至３のいずれか一項に記載の薄膜太陽電池モジュールであって、
前記中間層分離部は、前記接続溝が貫通するような位置に設けられている薄膜太陽電池モジュール。
【請求項５】
請求項３に記載の薄膜太陽電池モジュールであって、
前記中間層分離部により中間層が導電性を失っている部分の幅は、前記接続溝の面方向の幅の三倍以上である薄膜太陽電池モジュール。
【請求項６】
請求項１に記載された薄膜太陽電池モジュールであって、
前記中間層分離部は、前記中間層を構成する成分が凝集して不連続となった部分である薄膜太陽電池モジュール。
【請求項７】
請求項６に記載された薄膜太陽電池モジュールであって、
前記中間層分離部は、前記中間層を構成する成分が前記第１薄膜光変換ユニットの上部の成分と溶融し、凝集して不連続となった部分である薄膜太陽電池モジュール。
【請求項８】
請求項６に記載された薄膜太陽電池モジュールであって、
前記中間層分離部は、前記第２分離溝を一端とし、前記接続溝と前記第１分離溝との間を他端として、前記接続溝を挟むように設けられている薄膜太陽電池モジュール。
【請求項９】
請求項１乃至３又は６乃至８のいずれか一項に記載された薄膜太陽電池モジュールであって、
前記中間層分離部から前記裏面電極を含む面の投象は、前記第１分離溝から前記裏面電極を含む面の投象と重なるか、又は、前記第１分離溝の前記裏面電極を含む面への投象と前記第２分離溝との間に存在する薄膜太陽電池モジュール。
【請求項１０】
光透過性基板上に透明導電膜を形成するステップと、
前記透明導電膜を分割する第１分離溝を形成するステップと、
前記透明導電膜上と前記第１分離溝とに第１薄膜光変換ユニットを形成するステップと、
前記第１薄膜光変換ユニット上に中間層を形成するステップと、
前記第１薄膜光変換ユニットの一部及び前記中間層を除去して前記第１薄膜光変換ユニット内に底面を有する溝を形成するように、又は、前記中間層を変質させて導電性を失うように中間層分離部を形成するステップと、
前記中間層及び前記中間層分離部上に第２薄膜光変換ユニットを形成するステップと、
前記第２薄膜光変換ユニットの上部に開口を有し前記透明導電膜の上部に底面を有する接続溝を形成するステップと、
前記第２薄膜光変換ユニット上と前記接続溝とに裏面電極を形成するステップと、
を具備した薄膜太陽電池モジュール製造方法。
【請求項１１】
請求項１０に記載の薄膜太陽電池モジュール製造方法であって、
前記中間層分離部の前記裏面電極を含む面への投象は、前記第１分離溝の前記裏面電極を含む面への投象と重なるか、又は、前記第１分離溝の前記裏面電極を含む面への投象と前記第２分離溝との間に存在する薄膜太陽電池モジュール製造方法。
【請求項１２】
請求項１０又は１１に記載された薄膜太陽電池モジュール製造方法であって、
前記中間層分離部を形成するステップにおいて、前記中間層分離部は、前記第２分離溝を一端とし、前記接続溝と前記第１分離溝との間を他端として、前記接続溝を挟む位置に形成される薄膜太陽電池モジュール製造方法。
【請求項１３】
請求項１０乃至１２のいずれか一項に記載された薄膜太陽電池モジュール製造方法であって、
前記接続溝は前記中間層分離部を貫通するような位置に設けられた薄膜太陽電池モジュール製造方法。
【請求項１４】
請求項１０乃至１３のいずれか一項に記載の薄膜太陽電池モジュール製造方法であって、
前記中間層分離部を形成するステップは、前記レーザのパワー密度が９００（ｍＷ／ｃｍ２）以下の条件で前記中間層側からレーザー光を照射させて前記中間層分離部を形成する薄膜太陽電池モジュール製造方法。
【請求項１５】
光透過性基板上に透明導電膜を形成するステップと、
前記透明導電膜を分割する第１分離溝を形成するステップと、
前記透明導電膜上と前記第１分離溝とに第１ 薄膜光変換ユニットを形成するステップと、
前記第１薄膜光変換ユニット上に中間層を形成するステップと、
前記中間層上に第２ 薄膜光変換ユニットを形成するステップと、
前記中間層、前記第１薄膜光変換ユニット、及び前記第２薄膜光変換ユニットを溶融して導電性を失うように中間層分離部を形成するステップと、
前記第２薄膜光変換ユニットの上部に開口を有し前記透明導電膜の上部に底面を有する接続溝を形成するステップと、
前記第２薄膜光変換ユニット上と前記接続溝とに裏面電極を形成するステップと、
を具備した薄膜太陽電池モジュール製造方法。
【請求項１６】
請求項１５に記載された薄膜太陽電池モジュールであって、
前記中間層分離部から前記裏面電極を含む面の投象は、前記第１分離溝から前記裏面電極含む面の投象と、重なる薄膜太陽電池モジュール。
【請求項１７】
請求項１０乃至１６のいずれか一項に記載の薄膜太陽電池モジュール製造方法であって、
前記中間層分離部を形成するステップにおいて、前記第２薄膜光変換ユニット側から波長５３２ｎｍのレーザを照射して中間層が導電性を失うように前記中間層分離部を形成する薄膜太陽電池モジュール製造方法。
【請求項１８】
請求項１５乃至１７のいずれか一項に記載の薄膜太陽電池モジュール製造方法であって、
前記接続溝は前記中間層分離部に含まれる位置に設けられた薄膜太陽電池モジュール製造方法。
【請求項１９】
請求項１０乃至１８のいずれか一項に記載された薄膜太陽電池モジュール製造方法であって、
前記中間層分離部を形成するステップにおいて、前記中間層が導電性を失う部分の幅は、前記接続溝の面方向の幅の三倍以上である薄膜太陽電池モジュール製造方法。
【請求項２０】
請求項１５乃至１９のいずれか一項に記載された薄膜太陽電池モジュール製造方法であって、
前記中間層分離部を形成するステップは、レーザーの照射によって前記中間層及び前記第１ 薄膜光変換ユニットの上部を溶融させ、更に凝集させることで前記中間層を構成する成分を不連続とするステップを備える薄膜太陽電池モジュール製造方法。
【請求項２１】
薄膜太陽電池モジュールのリーク電流抑制方法であって、
前記薄膜太陽電池モジュールは、
光透過性基板と、
前記光透過性基板の上に形成され互いに直列に接続された複数の太陽電池セルと、を具備し、
前記複数の太陽電池セルの各々は、
前記光透過性基板の上に形成された透明導電膜と、
前記透明導電膜の上に形成された第１薄膜光変換ユニットと、
前記第１薄膜光変換ユニットの上に形成された中間層と、
前記中間層の上に形成された第２薄膜光変換ユニットと、
前記第２ 薄膜光変換ユニットの上に形成された裏面電極と、
前記透明導電膜を分割する第１分離溝と、
前記裏面電極の上部に開口を有し前記第１薄膜光変換ユニット、前記中間層、及び前記第２薄膜光変換ユニットを分割する第２分離溝と、
前記裏面電極と前記第２薄膜光変換ユニットとの界面に開口を有し、前記第１薄膜光変換ユニットと前記透明導電膜との間に底面を有し、前記裏面電極を構成する材料で裏面電極と隣の前記太陽電池セルの透明導電膜を電気的に接続する接続溝と、
前記中間層が除去され前記第１薄膜光変換ユニット内に底面を有する溝、又は、前記中間層が変質して導電性を失った層である中間層分離部とを有し、
前記第１薄膜光変換ユニット及び前記第２薄膜光変換ユニットが、発電するステップと、
前記中間層分離部が、前記発電により生じた電流の前記中間層を介した前記接続溝への流れを抑制するステップとを具備する
薄膜太陽電池モジュールのリーク電流を抑制する方法。
【請求項２２】
薄膜太陽電池モジュールのリーク電流抑制構造であって、
前記薄膜太陽電池モジュールは、
光透過性基板と、
前記光透過性基板の上に形成され互いに直列に接続された複数の太陽電池セルと、を具備し、
前記複数の太陽電池セルの各々は、
前記光透過性基板の上に形成された透明導電膜と、
前記透明導電膜の上に形成された第１薄膜光変換ユニットと、
前記第１薄膜光変換ユニットの上に形成された中間層と、
前記中間層の上に形成された第２薄膜光変換ユニットと、
前記第２ 薄膜光変換ユニットの上に形成された裏面電極と、
前記透明導電膜を分割する第１分離溝と、
前記裏面電極の上部に開口を有し前記第１薄膜光変換ユニット、前記中間層、及び前記第２薄膜光変換ユニットを分割する第２分離溝と、
前記裏面電極と前記第２薄膜光変換ユニットとの界面に開口を有し、前記第１薄膜光変換ユニットと前記透明導電膜との間に底面を有し、前記裏面電極を構成する材料で前記裏面電極と隣の前記太陽電池セルの透明導電膜を電気的に接続する接続溝と、
前記中間層が除去され前記第１薄膜光変換ユニット内に底面を有する溝、又は、前記中間層が変質して導電性を失った層である中間層分離部とを有し、
前記中間層分離部は、前記第１薄膜光変換ユニット及び前記第２薄膜光変換ユニットの発電により生じた電流が、前記中間層を介して前記接続溝へ流れることを抑制すること特徴とする薄膜太陽電池モジュールのリーク電流抑制構造。